(57)【要約】      （修正有）【課題】生体組織を適切に採取する。【解決手段】酸素に触れると硬化をはじめる軟性体３を収納した収納部４と、この収納部４に連結された鼻孔挿入部５と、前記収納部４内の軟性体３を鼻孔挿入部５側に押し出す押出部とを備えた構成とした。収納部４に収納された軟性体３は、鼻孔挿入部５から鼻孔２内に押し出され、その状態で鼻孔２内において、その表面が酸素に触れることで、硬化をはじめる。その後、この軟性体３を鼻孔２から取り出せば、取り出した軟性体３の表面のどの部分に、採取しようとする生体組織が存在するかが判明する。【選択図】図１
2012050660.tif 000002
【特許請求の範囲】
【請求項１】
酸素に触れると硬化をはじめる軟性体を収納した収納部と、
この収納部に連結された鼻孔挿入部と、
前記収納部内の軟性体を鼻孔挿入部側に押し出す押出部とを備えた生体組織採取具。
【請求項２】
請求項１に記載の生体組織採取具によって、鼻孔内に注入され、その後、この鼻孔から引き出された軟性体に、光を照射する光源と、
この光源から前記軟性体に光を照射することにより、前記軟性体から反射する反射光を検出する検出部とを備えた生体組織採取装置。
【請求項３】
まず、請求項１に記載の生体組織採取具によって、鼻孔内に軟性体を注入し、次に、所定時間経過後に、前記鼻孔内から軟性体を引き出し、その後、この軟性体に抗体を含む蛍光剤を噴霧し、次に、この軟性体に光源から光を照射し、この軟性体から反射する反射光を検出部で検出する生体組織採取方法。
【発明の詳細な説明】
【技術分野】
【０００１】
本発明は、生体組織採取具とそれを用いた生体組織採取装置および生体組織採取方法に関するものである。
【背景技術】
【０００２】
生体組織採取具として一般的に用いられているものとしては、めん棒が存在する。
【０００３】
例えば、この、めん棒によって、体内孔の一例である鼻孔内の粘膜を採取し、インフルエンザの検査キットによりインフルエンザの簡易検査が行われている。
【０００４】
このような簡易検査で行われているものにおいては、生体組織の一部を単に採取するだけのものであるので、採取された生体組織の量が多いか、少ないかは特に問題とはならない。
【０００５】
しかしながら、生体組織の採取量をほぼ一定にすることで、この採取した生体組織によって、例えば、健康状態を判定するものもあり、その場合には、前述しためん棒による生体組織の採取は、好ましくないものとなる。
【０００６】
そこで、採取するめん棒に目盛りを付したり、めん棒を所定の長さで切断できるようにしたりするものが提案されている（例えば、下記特許文献１）。
【先行技術文献】
【特許文献】
【０００７】
【特許文献１】特開２００１−２８９８４４号公報
【発明の概要】
【発明が解決しようとする課題】
【０００８】
前記従来例における課題は、生体組織を適切に採取することができないということであった。
【０００９】
すなわち、鼻孔内のどの部分に採取しようとする生体組織が存在するかが、不明な状態で、単に鼻孔内にめん棒を挿入したとしても、そのめん棒が採取しようとする生体組織の存在する部分に到達できていないことも多く、その結果として、生体組織を適切に採取することができないものであった。
【００１０】
そこで、本発明は、生体組織を適切に採取することを目的とするものである。
【課題を解決するための手段】
【００１１】
そして、この目的を達成するために本発明の生体組織採取具は、酸素に触れると硬化をはじめる軟性体を収納した収納部と、この収納部に連結された鼻孔挿入部と、前記収納部内の軟性体を鼻孔挿入部側に押し出す押出部とを備えた構成とし、これにより所期の目的を達成するものである。
【発明の効果】
【００１２】
以上のように本発明の生体組織採取具は、酸素に触れると硬化をはじめる軟性体を収納した収納部と、この収納部に連結された鼻孔挿入部と、前記収納部内の軟性体を鼻孔挿入部側に押し出す押出部とを備えた構成としたものであるので、生体組織を適切に採取することができる。
【００１３】
すなわち、本発明においては、収納部に収納された軟性体を鼻孔挿入部から鼻孔内に押し出し、その状態で鼻孔内でこの軟性体の表面が酸素に触れることで、硬化をはじめた状態で、この軟性体を鼻孔から取り出せば、取り出した軟性体の表面のどの部分に、採取しようとする生体組織が存在するかが判明する。
【００１４】
このため、その鼻孔内部分から適切に生体組織を採取することができるものとなるのである。
【図面の簡単な説明】
【００１５】
【図１】本発明の実施の形態における生体組織採取具の使用状態を示す側面図
【図２】その使用状態を示す側面図
【図３】その使用状態を示す側面図
【図４】その使用状態を示す側面図
【図５】鼻孔内から取り出した軟性体の取り扱いを示す側面図
【図６】鼻孔内から取り出した軟性体の取り扱いを示す側面図
【発明を実施するための形態】
【００１６】
以下に、本発明の一実施の形態を、鼻孔内の生体組織を採取する生体組織採取具に適用したものを、図面とともに詳細に説明する。
【００１７】
（実施の形態１）
図１において、１は、鼻孔２内の生体組織を採取する生体組織採取具で、図２に示すごとく、この生体組織採取具１は、酸素に触れると硬化をはじめる軟性体３を収納した円筒状の収納部４と、この収納部４の先端側に連結された円筒状の鼻孔挿入部５と、前記収納部４内の軟性体３を鼻孔挿入部５側に押し出すべく前記収納部４の後端部側に設けたピストン状の押出部６とを備えている。
【００１８】
前記軟性体３は、例えば、シリコン樹脂により構成されており、酸素に触れると徐々にその表面が、硬化をはじめるようになっている。
【００１９】
したがって、図２（ａ）のごとく、未使用の状態では、鼻孔挿入部５の先端側は、シール（図示せず）によって、覆われている。
【００２０】
本実施形態においては、図２（ａ）の状態で、鼻孔挿入部５の先端側に設けたシールを外し、図１のごとく、鼻孔挿入部５を鼻孔２内に挿入し、その後、図１、図２（ｂ）のごとく、押出部６を押すことで、収納部４内の軟性体３を鼻孔２内に注入する。
【００２１】
その状態が、図３（ａ）の状態であって、この状態で、まずは、収納部４の中部を図３（ｂ）のごとく分離し、この状態で、約１０分間放置する。
【００２２】
図４（ａ）は、その１０分後の状態を示し、次に、残った収納部４を図４（ｂ）のごとく、つまんで鼻孔２内から軟性体３を引き出す。
【００２３】
引き出された軟性体３は、１０分間、その表面が酸素に触れることで、重合による硬化状態となっているので、その外表面は、鼻孔２内の形状を写した相似形となっている。ただし、この軟性体３の内部は、酸素に触れることはないので、柔らかい状態が保持されているので、図４（ｂ）のごとく、軟性体３を引き出すときには、適宜その形を変形させながら、鼻孔２外へと引き出されることになる。
【００２４】
図５は、引き出された軟性体３にβアミロイド（以下、Ａβという）に対する抗体を示す蛍光剤を噴霧器７から噴霧している状態を示している。つまり、本実施形態においては、アルツハイマを発症させるＡβが脳内に蓄積された時には、その一部が、脳と近接する鼻孔２内に流出することに着目し、このＡβを手軽に検出するために上述のごとく鼻孔２内に、軟性体３を注入したものである。
【００２５】
図５においては、噴霧器７から蛍光剤を噴霧し、その状態で、図６のごとく、光源８から光を軟性体３に照射する。
【００２６】
すると、軟性体３の表面で、Ａβが付着している部分は、発光することとなり、この発光状態を検出部９で検出すれば、鼻孔２内のどの部分にＡβが流出しているかが判明する。
【００２７】
したがって、Ａβが、多く流出している鼻孔２内部分に、例えば、めん棒などの採取具を到達させれば、Ａβを適切に採取することができるものとなる。
【００２８】
なお、図６において、１０は集光用のレンズ、１１は反射板、１２はフィルタ、１３は、ハーフミラー、１４はフィルタである。
【００２９】
つまり、光源８からの光は、レンズ１０、反射板１１、フィルタ１２、ハーフミラー１３を介して、軟性体３に照射され、この軟性体３からの反射光は、ハーフミラー１３で、フィルタ１４側に偏光され、検出部９によって、検出されるようになっている。
【産業上の利用可能性】
【００３０】
以上のように本発明の生体組織採取具は、酸素に触れると硬化をはじめる軟性体を収納した収納部と、この収納部に連結された鼻孔挿入部と、前記収納部内の軟性体を鼻孔挿入部側に押し出す押出部とを備えた構成としたものであるので、生体組織を適切に採取することができる。
【００３１】
すなわち、本発明においては、収納部に収納された軟性体を鼻孔挿入部から鼻孔内に押し出し、その状態で鼻孔内でこの軟性体の表面が酸素に触れることで、硬化をはじめた状態で、この軟性体を鼻孔から取り出せば、取り出した軟性体の表面のどの部分に、採取しようとする生体組織が存在するかが判明する。
【００３２】
このため、その鼻孔内部分から適切に生体組織を採取することができるものとなるのである。
【００３３】
従って、生体組織の採取用として極めて有用なものとなる。
【符号の説明】
【００３４】
１  生体組織採取具
２  鼻孔
３  軟性体
４  収納部
５  鼻孔挿入部
６  押出部
７  噴霧器
８  光源
９  検出部
１０  レンズ
１１  反射板
１２  フィルタ
１３  ハーフミラー
１４  フィルタ
【図１】
2012050660.tif 000003
【図２】
2012050660.tif 000004
【図３】
2012050660.tif 000005
【図４】
2012050660.tif 000006
【図５】
2012050660.tif 000007
【図６】
2012050660.tif 000008